(57)【要約】【課題】三面鏡付のコンパクト容器において、三面鏡に広い鏡面を確保しつつ、三面鏡の開閉を容易にする。【解決手段】化粧料を収容する容器本体４０、容器本体と蝶着している蓋体３０、及び三面鏡１０を備えたコンパクト容器１Ａであって、三面鏡１０が、該三面鏡が閉じた状態で順次重なる中央鏡１１、第１袖鏡１４ａ及び第２袖鏡１４ｂからなり、蓋体３０の内側に中央鏡用枠体１２を有し、中央鏡用枠体１２の両端部に第１袖鏡用枠体１５ａと第２袖鏡用枠体１５ｂがそれぞれ蝶番部材１８ａ、１８ｂによって蝶着されている。三面鏡１０を閉じた状態から第２袖鏡１４ｂを開くときに、第２袖鏡用枠体１５ｂの接触構造（蝶番部材１９ｂの回転筒の切り欠き部２０の縁部２０ａ）と第１袖鏡用枠体１５ａの縁部（突出部２１ａ）との接触により第１袖鏡用枠体１５ｂが浮き上がるようにする。【選択図】図３
2006325923.tif 000002
【特許請求の範囲】
【請求項１】
化粧料を収容する容器本体、容器本体と蝶着している蓋体、及び三面鏡を備えたコンパクト容器であって、
三面鏡が、該三面鏡が閉じた状態で順次重なる中央鏡、第１袖鏡及び第２袖鏡からなり、
中央鏡、第１袖鏡及び第２袖鏡が、それぞれ枠体に取り付けられ、
蓋体の内側に中央鏡用枠体を有し、
中央鏡用枠体の両端部に第１袖鏡用枠体と第２袖鏡用枠体がそれぞれ蝶番部材によって取り付けられ、
三面鏡を閉じた状態から第２袖鏡を開くときに第１袖鏡用枠体の縁部に接触することにより第１袖鏡を浮き上がらせる接触構造が第２袖鏡用枠体の蝶番部材に設けられているコンパクト容器。
【請求項２】
前記接触構造が、第２袖鏡用枠体の蝶番部材の回転筒に形成された切り欠き部からなる請求項１記載のコンパクト容器。
【請求項３】
前記接触構造が、第２袖鏡用枠体の蝶番部材の回転筒に形成されたリブからなる請求項１記載のコンパクト容器。
【請求項４】
前記接触構造が、第２袖鏡用枠体の蝶番部材の回転筒の外周面に設けられた滑り止め部材からなる請求項１記載のコンパクト容器。
【請求項５】
第２袖鏡用枠体において、第２袖鏡と蝶番部材の回転筒との間の領域に、第２袖鏡の鏡面よりも凹んだ凹部が形成されている請求項１〜４のいずれかに記載のコンパクト容器。
【発明の詳細な説明】
【技術分野】
【０００１】
本発明は、ファンデーション、チーク、アイシャドウ等の化粧料を収容するコンパクトな鏡付容器に関する。
【背景技術】
【０００２】
ファンデーション、チーク、アイシャドウ等の化粧料を収容するコンパクト容器として、化粧料を収容する容器本体と、容器本体に開閉自在に蝶着された蓋体からなり、蓋体の内側に平面鏡を貼着したものが普及している。また、このようなコンパクト容器であって、蓋体の内側に三面鏡を取り付けたものが提案されている（特許文献１、特許文献２）。
【０００３】
【特許文献１】特開２０００−１７５７３８号公報
【特許文献２】登録実用新案第３０２０８９９号公報
【発明の開示】
【発明が解決しようとする課題】
【０００４】
コンパクト容器に取り付けられる三面鏡では、狭い容器スペース内で、できる限り広い鏡面を確保するため、三面鏡が閉じた状態で、中央鏡とその上に順次重なる第１袖鏡と第２袖鏡とが、ほとんど隙間なく折りたたまれるようにすることが望ましい。
【０００５】
しかしながら三面鏡がほとんど隙間無く折りたたまれるようにすると、閉じた状態から最初に第２袖鏡を開き、次に第１袖鏡を開くときに、第１袖鏡をつかむことが難しくなる。
【０００６】
これに対して、本発明は、三面鏡付のコンパクト容器において、三面鏡の開閉が容易に行われるようにすることを目的とする。
【課題を解決するための手段】
【０００７】
本発明者は、三面鏡が閉じた状態で中央鏡とその上に順次重なる第１袖鏡と第２袖鏡とからなり、第１袖鏡用枠体と第２袖鏡用枠体が中央鏡用枠体の両側に蝶番で取り付けられている場合に、三面鏡の閉じた状態から第２袖鏡を開くときに、第２袖鏡用枠体の蝶番部材に第１袖鏡用枠体の縁部が接触し、第２袖鏡用枠体の蝶番部材の回転に伴って第１袖鏡用枠体が第１袖鏡の開く方向に浮き上がるようにすると、その浮き上がった第１袖鏡用枠体に指をかけることができ、第１袖鏡を容易に開けられることに想到した。
【０００８】
即ち、本発明は、化粧料を収容する容器本体、容器本体と蝶着している蓋体、及び三面鏡を備えたコンパクト容器であって、
三面鏡が、該三面鏡が閉じた状態で順次重なる中央鏡、第１袖鏡及び第２袖鏡からなり、
中央鏡、第１袖鏡及び第２袖鏡が、それぞれ枠体に取り付けられ、
蓋体の内側に中央鏡用枠体を有し、
中央鏡用枠体の両端部に第１袖鏡用枠体と第２袖鏡用枠体がそれぞれ蝶番部材によって取り付けられ、
三面鏡を閉じた状態から第２袖鏡を開くときに第１袖鏡用枠体の縁部に接触することにより第１袖鏡を浮き上がらせる接触構造が第２袖鏡用枠体の蝶番に設けられているコンパクト容器を提供する。
【発明の効果】
【０００９】
本発明のコンパクト容器によれば、三面鏡を閉じた状態で中央鏡と一対の袖鏡がちょうど重なり合うように折りたたまれ、かつ、三面鏡を閉じた状態から第２袖鏡を開くことで、第１袖鏡用枠体が浮き上がるので、浮き上がった第１袖鏡用枠体に指をかけることにより、容易に第１袖鏡を開くことが可能となる。
【００１０】
特に、このコンパクト容器において、第２袖鏡用枠体内で第２袖鏡と蝶番部材の回転筒との間の領域に、第２袖鏡の鏡面よりも凹んだ凹部を形成すると、第１袖鏡、第２袖鏡を順次閉じることにより三面鏡を閉じる際に、第１袖鏡用枠体が完全に閉じられていなくても、第１袖鏡用枠体の先端が第２袖鏡用枠体の凹部に滑るように入るので、引っかかり無く滑らかに第１袖鏡及び第２袖鏡を閉じることが可能となるので好ましい。
【発明を実施するための最良の形態】
【００１１】
以下、図面を参照しつつ、本発明を詳細に説明する。なお、各図中、同一符号は同一又は同等の構成要素を表している。
【００１２】
図１は、本発明の一実施例のコンパクト容器１Ａであって、三面鏡１０を開いた状態の斜視図である。
【００１３】
このコンパクト容器１Ａは、三面鏡１０、ファンデーション、チーク、アイシャドウ等の化粧料Ａを収容する容器本体４０、及び容器本体４０の開口面を開閉自在に覆う蓋体３０からなり、三面鏡１０は中央鏡１１と左右一対の第１袖鏡１４ａ、第２袖鏡１４ｂからなる。
【００１４】
容器本体４０には、化粧料Ａの他、必要に応じてスポンジ４１、はけ、ブラシ（図示せず）等の化粧用具が収容されるスペースが設けられる。
【００１５】
蓋体３０は、蓋外側部材３１に中央鏡用枠体１２を接合したものからなり、この中央鏡用枠体１２に中央鏡１１が接着剤、粘着剤等により貼着されている。蓋体３０は、中央鏡１１の下端側で容器本体４０と蝶番を介してつながっている。
【００１６】
一対の袖鏡１４ａ、１４ｂは、袖鏡用枠体１５ａ、１５ｂに接着剤、粘着剤等により貼着され、袖鏡用枠体１５ａ、１５ｂが、中央鏡用枠体１２の両端部の蝶番部材１８ａ、１８ｂに、第１袖鏡用枠体の蝶番部材１９ａ、第２袖鏡用枠体の蝶着部材１９ｂをピンで掛合することにより蝶着されている。
【００１７】
図２は、図１のコンパクト容器の三面鏡１０を閉じ、蓋体３０を閉じた状態のＸ−Ｘ方向の断面図である。このようにこのコンパクト容器１Ａでは、三面鏡１０の中央鏡１１と第１袖鏡１４ａと第２袖鏡１４ｂとがちょうど重なり合うように、それらの枠体１２、１４ａ、１４ｂが蝶着されている。したがって、コンパクト容器内において、三面鏡の鏡面の面積をできる限り広く確保することが可能となる。
【００１８】
一方、このコンパクト容器１Ａでは、第２袖鏡を開くときに第２袖鏡用枠体の蝶番部材１９ｂを第１袖鏡用枠体の縁部に接触させるための接触構造として、第２袖鏡用枠体の蝶番部材１９ｂの回転筒に切り欠き部２０が設けられ、切り欠きの残部である縁部２０ａが突出している。第１袖鏡用枠体１５ａと第２袖鏡用枠体１５ｂの縁部にはそれぞれ先端に向かって厚みを薄くした突出部２１ａ、２１ｂが設けられている。また、第２袖鏡用枠体１５ｂにおいて第２袖鏡１４ｂと蝶番部材１９ｂの回転筒との間には、第２袖鏡１４ｂの鏡面よりも凹んだ凹部２２が形成されている。
【００１９】
したがって、このコンパクト容器１Ａの使用時に閉じた三面鏡１０を開く際には、図３（ａ）に示すように、まず第２袖鏡１４ｂの突出部２１ｂに指をかけて第２袖鏡１４ｂを開く。これにより容易に第２袖鏡１４ｂを開くことができる。同図（ｂ）に示すように第２袖鏡１４ｂの開きが大きくなると、第２袖鏡用蝶番部材１９ｂの回転筒に設けられている切り欠き部２０の縁部２０ａが第１袖鏡用枠体１５ａの縁部の突出部２１ａを押し上げ、同図（ｃ）に示すように第２袖鏡１４ｂが完全に開いた状態では、第１袖鏡用枠体１５ａの縁部の突出部２１ａは、容易に指をかけられる程度に、第１袖鏡１４ａの開く方向に浮き上がっている。よって、この突出部２１ａに指をかけることにより、容易に第１袖鏡１４ａを開くことができる。
【００２０】
また、このコンパクト容器１Ａにおいて、開いた三面鏡１０を閉じる際には、まず第１袖鏡１４ａを閉じ、次いで第２袖鏡１４ｂを閉じる。その際、第１袖鏡１４ａが完全に閉じていない状態で第２袖鏡１４ｂを閉じようとすると、従前の三面鏡では、第１袖鏡１４ａが引っかかって第２袖鏡１４ｂが閉め難くなっていたが、このコンパクト容器によれば、図４（ａ）に示すように第２袖鏡１４ｂに当接している第１袖鏡用枠体１５ａの縁部の突出部２１ａが、第２袖鏡用枠体１５ｂの凹部２２に滑るように入るので、同図（ｂ）に示すように、引っかかり無く滑らかに第２袖鏡を閉じることが可能となる。
【００２１】
本発明は、この他種々の態様をとることができる。例えば、図５のコンパクト容器１Ｂは、第１袖鏡用枠体の縁部に接触する接触構造として、第２袖鏡用枠体１５ｂの蝶番部材１９ｂの回転筒にリブ２３を設けたものである。図６（ａ）は、図５のコンパクト容器１Ｂのｘ−ｘ断面の拡大図である。このコンパクト容器１Ｂによれば、閉じていた三面鏡１０を開く際に、まず第２袖鏡１４ｂを開いていくと、図６（ｂ）に示すように、第２袖鏡用枠体１５ｂの蝶番部材１９ｂのリブ２３が第１袖鏡用枠体１５ａの縁部の突出部２１ａを押し上げ、同図（ｃ）に示すように、第２袖鏡１４ｂが完全に開いた状態では、第１袖鏡用枠体１５ａの縁部の突出部２１ａは、容易に指をかけられる程度に、第１袖鏡１４ａの開く方向に浮き上がってくる。よって、この突出部２１ａに指をかけることにより、容易に第１袖鏡１４ａを開くことができる。
【００２２】
本発明において、第２袖鏡用枠体１５ｂの蝶番部材１９ｂを第１袖鏡用枠体の縁部と接触させるための構造を特に設けることなく、第１袖鏡用枠体と蝶番部材１９ｂの位置及び寸法を調整し接触させてもよい。その際、図７（ａ）に示すように、その蝶番部材１９ｂの回転筒の外周面にゴム材等の滑り止め部材２４を設けることが好ましい。この場合、袖鏡１４ａ、１４ｂの開閉時に、第２袖鏡用枠体１５ｂの蝶番部材１９ｂに設けた滑り止め部材２４と接触することとなる第１袖鏡用枠体１５ａの縁部にも滑り止め部材２５を設け、双方の接触時の摩擦力を高めることが好ましい。これにより、閉じていた三面鏡１０の第２袖鏡１４ｂを開いていくと、図７（ｂ）に示すように、滑り止め部材２４、２５同士の摩擦力により第１袖鏡用枠体１５ａが擦り上げられ、同図（ｃ）に示すように、第２袖鏡１４ｂが完全に開いた状態では、第１袖鏡用枠体１５ａの縁部は、容易に指をかけられる程度に浮き上がる。よって、ここに指をかけることにより、容易に第１袖鏡１４ａを開くことができる。
【産業上の利用可能性】
【００２３】
本発明のコンパクト容器は、ファンデーション、チーク、アイシャドウ等の化粧料を収容する容器として有用である。
【図面の簡単な説明】
【００２４】
【図１】本発明のコンパクト容器１Ａにおいて、三面鏡を開いた状態の斜視図である。
【図２】図１のコンパクト容器が閉じた状態の断面図である。
【図３】図１のコンパクト容器において、三面鏡を開くときの袖鏡の作用の説明図である。
【図４】図１のコンパクト容器において、三面鏡を閉じるときの袖鏡の作用の説明図である。
【図５】本発明のコンパクト容器１Ｂにおいて、三面鏡を開いた状態の斜視図である。
【図６】図５のコンパクト容器において、三面鏡を開くときの袖鏡の作用の説明図である。
【図７】さらに異なる態様のコンパクト容器において、三面鏡を開くときの袖鏡の作用の説明図である。
【符号の説明】
【００２５】
１Ａ、１Ｂ    コンパクト容器
１０    三面鏡
１１    中央鏡
１２    中央鏡用枠体
１４ａ、１４ｂ    袖鏡
１５ａ、１５ｂ    袖鏡用枠体
１８ａ、１８ｂ    中央鏡用枠体の蝶番部材
１９ａ    第１袖鏡用枠体の蝶番部材
１９ｂ    第２袖鏡用枠体の蝶番部材
２０    切り欠き部
２０ａ  切り欠きの縁部
２１ａ、２１ｂ  突出部
２２    凹部
２３    リブ
２４    滑り止め部材
２５    滑り止め部材
３０    蓋体
４０    容器本体
Ａ    化粧料
【図１】
2006325923.tif 000003
【図２】
2006325923.tif 000004
【図３】
2006325923.tif 000005
【図４】
2006325923.tif 000006
【図５】
2006325923.tif 000007
【図６】
2006325923.tif 000008
【図７】
2006325923.tif 000009